(57)【要約】【課題】複数の変調方式を伝搬路特性の変動に応じて適応的に選択する適応変調方式の無線伝送システムにおいて、一段と簡易な構成かつ容易に受信信号の変調方式を推定すること。【解決手段】変調方式の推定処理の候補となる変調方式に優先順位を付加し、優先順位の高い変調方式から順次推定処理を実行し、所定の尤度が得られた時点で前記受信信号の変調方式を確定するようにしたことにより、一段と簡易な構成かつ容易に受信信号の変調方式を推定することができる。【選択図】      図２
2004153466.tif 000002
【特許請求の範囲】
【請求項１】
複数の変調方式を伝搬路特性の変動に応じて適応的に選択する適応変調方式の無線伝送システムの受信方法であって、
前記変調方式の推定処理の候補となる変調方式に優先順位を付加する優先順位付加工程と、
前記優先順位の高い変調方式から順次推定処理を実行し、所定の尤度が得られた時点で前記受信信号の変調方式を確定する推定工程と、
を具備することを特徴とする受信方法。
【請求項２】
前記優先順位付加工程では、受信信号のチャネルに基づいて優先順位が決定されることを特徴とする請求項１記載の受信方法。
【請求項３】
前記優先順位付加工程では、前回推定した変調方式と、受信信号の受信品質又は受信レベルとに基づいて優先順位が決定されることを特徴とする請求項１記載の受信方法。
【請求項４】
前記所定の尤度と比較される閾値を受信信号の受信品質に基づいて決定する閾値決定工程をさらに具備し、前記推定工程では、前記所定の尤度と前記決定された閾値とを比較することによって変調方式が推定されることを特徴とする請求項１記載の受信方法。
【請求項５】
複数の変調方式を伝搬路特性の変動に応じて適応的に選択する適応変調方式の無線伝送システムの受信装置であって、
受信信号を所定の復調方式で復調し、復調された受信信号の尤度を計算し、計算された尤度に基づいて前記復調方式が前記受信信号の変調方式に対応した復調方式であるか否かを推定する変調方式推定部と、
前記推定の候補となる変調方式に優先順位を付加し、前記優先順位の高い変調方式から順次推定処理を前記変調方式推定部に実行させ、所定の尤度が得られた時点で前記受信信号の変調方式を確定する変調方式推定制御部と、
を具備することを特徴とする受信装置。
【請求項６】
送信信号に対する変調方式を、複数の変調方式のなかから伝搬路特性の変動に応じて適応的に選択する送信装置と、
受信信号を所定の復調方式で復調し、復調された受信信号の尤度を計算し、計算された尤度に基づいて前記復調方式が前記受信信号の変調方式に対応した復調方式であるか否かを推定する変調方式推定部と、前記推定の候補となる変調方式に優先順位を付加し、前記優先順位の高い変調方式から順次推定処理を前記変調方式推定部に実行させ、所定の尤度が得られた時点で前記受信信号の変調方式を確定する変調方式推定制御部と、を有する受信装置と、
を具備することを特徴とする無線伝送システム。
【発明の詳細な説明】
【０００１】
【発明の属する技術分野】
本発明は、適応変調を行う場合の受信方法、受信装置及び無線伝送システムに関する。
【０００２】
【従来の技術】
従来、通信システムにおいては、サービスエリアのトラフィック、伝搬環境、又は要求されるサービス内容に応じて無線伝送方式を選択するものがある。この無線伝送方式を選択するものとして、従来の無線通信システムでは、各ユーザ（通信端末装置）に対してチャネルを割り当てる際に、トラフィック、伝搬環境、希望伝送速度等を考慮する低速適応変調方式と、割り当てられた範囲内で、瞬時伝搬路変動に応じて変調方式を適応させ、伝送品質を向上させる高速適応変調方式がある。
【０００３】
低速適応変調方式は、基本的に、通信システムのトラフィックの集中を緩和しつつ、ユーザ（通信端末装置）に対して、規定の品質で可能な限り要求に近い伝送帯域を割り当てることを目的としている。
【０００４】
また、高速適応変調方式は、瞬時Ｃ／Ｉｃ（希望信号と干渉信号の電力比：ｃａｒｒｉｅｒ  ｔｏ  ｃｏ−ｃｈａｎｎｅｌ  ｐｏｗｅｒ  ｒａｔｉｏ）や瞬時遅延スプレッド（ｄｅｌａｙ  ｓｐｒｅａｄ）を監視しながら、割り当てられた帯域内で最適変調多値数やシンボルレートを選択することにより、高い伝送品質で高スループットの伝送を実現することを目的としている。
【０００５】
これらの方式を用いた通信システムは、変調方式を適応的に切り替えることにより、システム容量の大容量化、トラフィックの動的変動に対する通信システム負荷の緩衝、伝送速度の異なるメディアのサービスへの対処を容易にすることができる。
【０００６】
ところで、通信システムにおいて切り替えられる変調方式としては、ＱＰＳＫ（Ｑｕａｔｅｒｎａｒｙ  Ｐｈａｓｅ  Ｓｈｉｆｔ  Ｋｅｙｉｎｇ  ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ等がある。これらの変調方式では、ＱＰＳＫ、１６ＱＡＭ、６４ＱＡＭの順に周波数の利用効率は高くなるが、周波数の利用効率が高くなる分、その順に信号間距離が短くなり雑音に弱くなる。
【０００７】
従って、これらの変調方式を適応的に切り替える適応変調方式では、例えば、変調指数（変調多値数）をその平均ＣＮＲに基づいて選択することにより、伝搬路環境に応じて最適な変調方式を選択することができる（例えば、特許文献１参照。）。
【０００８】
【特許文献１】
特開平１１−２７５１６４号公報（第６ページ、図２）
【０００９】
【発明が解決しようとする課題】
図１０は、フェージングによる波形歪を適応等化処理によって復調するシステムの受信装置の構成を示すブロック図である。ここでは、ＴＤＭＡ（Ｔｉｍｅ  Ｄｉｖｉｓｉｏｎ  Ｍｕｌｔｉｐｌｅ  Ａｃｃｅｓｓ）の通信システムについて示し、同期補足及び伝送路推定に使用される既知信号パターン（トレーニング信号）が受信信号の処理単位（バースト等）内に挿入されているものとする。但し、変調指数に関する情報は受信信号には含まれていないものとする。
【００１０】
図１０において、受信装置１は、無線部２において、受信信号を受信処理した後、これをＡ／Ｄ（アナログ／ディジタル）変換部３に供給する。Ａ／Ｄ変換部３は、無線部２から供給された受信信号をディジタル信号に変換した後、受信レベル測定部４、伝送路推定部５、同期部６及び変調方式推定判定部１０に供給する。
【００１１】
受信レベル測定部４は、Ａ／Ｄ変換部３から供給されたディジタルの受信信号の受信信号強度（ＲＳＳＩ（Ｒｅｃｅｉｖｅｄ  Ｓｉｇｎａｌ  Ｓｔｒｅｎｇｔｈ  Ｉｎｄｉｃａｔｏｒ）信号レベル）を測定することにより、無線部２に対して利得制御を行う。伝送路推定部５は、Ａ／Ｄ変換部３から供給されたディジタルの受信信号に基づいて、伝送路推定を行った後、その結果を切り替え部７に供給する。また、同期部６は、ディジタルの受信信号に基づいて同期検波を行うことにより、伝送路推定部５及び変調方式推定判定部１０の同期をとるようになされている。
【００１２】
変調方式推定判定部１０は、Ａ／Ｄ変換部３から供給されたディジタルの受信信号を変調推定部１１、１２及び１３にそれぞれ供給する。変調推定部１１、１２及び１３は、それぞれ異なる変調方式で受信信号の一部（バースト内のトレーニング信号であって送信側において送信データ（データチャネル）と同様に変調された部分）を復調する。例えば、変調推定部１１は、受信信号をＱＰＳＫ復調し、変調推定部１２は受信信号を１６ＱＡＭ復調し、変調推定部１３は受信信号を６４ＱＡＭ復調する。
【００１３】
そして、変調推定部１１は、その割り当てられた復調方式で復調した結果を、尤度計算部１４に供給し、変調推定部１２は、その割り当てられた復調方式で復調した結果を、尤度計算部１５に供給し、また、変調推定部１３は、その割り当てられた復調方式で復調した結果を、尤度計算部１６に供給する。
【００１４】
尤度計算部１４は、トレーニング信号発生部１７から供給されるトレーニング信号を期待値として、その期待値と受信信号との二乗誤差平均値を尤度として計算する。また、尤度計算部１５は、トレーニング信号発生部１８から供給されるトレーニング信号を期待値として、その期待値と受信信号との二乗誤差平均値を尤度として計算する。また、尤度計算部１６は、トレーニング信号発生部１９から供給されるトレーニング信号を期待値として、その期待値と受信信号との二乗誤差平均値を尤度として計算する。
【００１５】
各トレーニング信号発生部１７、１８及び１９から供給されるトレーニング信号は、それぞれ受信信号に含まれるトレーニング信号と同様の信号であり、各尤度計算部１４、１５及び１６は、このトレーニング信号を期待値として尤度を求めることにより、各変調推定部１１、１２及び１３において実行された復調方式のうち、いずれの復調方式が最も確からしいか、すなわち、受信信号に対して、送信側において行われた変調方式を推定することができる。この推定処理は、各尤度計算部１４、１５及び１６から尤度計算結果を受け取った変調方式判定部２０によって行われる。
【００１６】
変調方式判定部２０において判定された結果は、変調方式選択信号として切り替え部７及び２４に供給される。切り替え部７は、想定される変調方式に対応して予め設けられている複数の等化／復調部２１、２２及び２３のうち、変調方式判定部２０から供給された変調方式選択信号に基づいて、複数の等化／復調部２１、２２又は２３のうちのいずれかを選択する。
【００１７】
すなわち、等化／復調部２１は、変調推定部１１において復調された復調方式と同様の復調方式で受信信号を復調するようになされており、また、等化／復調部２２は、変調推定部１２において復調された復調方式と同様の復調方式で受信信号を復調するようになされており、また、等化／復調部２３は、変調推定部１３において復調された復調方式と同様の復調方式で受信信号を復調するようになされている。
【００１８】
従って、変調方式判定部２０は、各変調推定部１１、１２及び１３から供給される復調信号に基づいて尤度計算を行った結果に基づいて、最も確からしい復調結果を得ることができる等化／復調部を、複数の等化／復調部２１、２２又は２３のなかから選択することにより、送信装置側における変調方式と同様と推定される変調方式に対応した復調方式を選択して、受信信号を復調することができる。
【００１９】
等化／復調部２１、２２又は２３によって復調された復調信号は、切り替え部２４を介して誤り訂正部２５に供給され、誤り訂正復号処理が施された後、受信品質測定部２６に供給される。受信品質測定部２６は、誤り訂正部２５から供給される復号データに対して、その受信品質の測定を行う。
【００２０】
このように、図１０に示す受信装置１では、送信装置側における変調方式として予め想定される複数の変調方式に対応した複数の復調方式ごとに復調部（変調推定部１１、１２及び１３）を設け、これらの復調部によって、受信信号をそれぞれ復調処理した結果に基づいて送信装置側での変調方式を推定し、この推定結果に応じた復調処理を行うことにより、送信装置側から変調方式を示す信号を何ら送信することなく、受信装置１において送信装置側での変調方式を推定することができるようになされている。
【００２１】
しかしながら、従来の受信装置１においては、受信信号の変調方式を推定する方法として、推定される各変調方式に対応した複数の復調部（変調推定部１１、１２及び１３）を変調方式推定判定部１０に設け、想定される各変調方式に対応する復調処理をそれぞれの変調推定部１１，１２及び１３において行うことにより、処理量が多くなり、かつ消費電力が大きくなるという問題があった。
【００２２】
本発明はかかる点に鑑みてなされたものであり、一段と簡易な構成かつ容易に受信信号の変調方式を推定することができる受信方法、受信装置及び無線伝送システムを提供することを目的とする。
【００２３】
【課題を解決するための手段】
本発明の受信方法は、複数の変調方式を伝搬路特性の変動に応じて適応的に選択する適応変調方式の無線伝送システムの受信方法であって、前記変調方式の推定処理の候補となる変調方式に優先順位を付加する優先順位付加工程と、前記優先順位の高い変調方式から順次推定処理を実行し、所定の尤度が得られた時点で前記受信信号の変調方式を確定する推定工程と、を具備するようにした。
【００２４】
この方法によれば、優先順位の高い変調方式から順次推定処理されることにより、いち早く変調方式を確定することができる。
【００２５】
本発明の受信方法は、上記工程において、前記優先順位付加工程では、受信信号のチャネルに基づいて優先順位が決定されるようにした。
【００２６】
この方法によれば、チャネル（同期チャネル、制御チャネル等）ごとに予め変調方式が決められている場合、その変調方式を優先的に推定することにより、容易に変調方式を推定し確定することができる。
【００２７】
本発明の受信方法は、上記工程において、前記優先順位付加工程では、前回推定した変調方式と、受信信号の受信品質又は受信レベルとに基づいて優先順位が決定されるようにした。
【００２８】
この方法によれば、前回推定した変調方式を基準にして、受信信号の受信品質や受信レベル（ＢＥＲ、受信レベル等）を基に今回の変調方式を選択することとなり、実際の伝搬路環境に基づく推定を行うことができる。これにより、伝搬路環境に応じて適応的に変調方式を選択する送信装置側での選択結果をいち早く推定し確定することができる。
【００２９】
本発明の受信方法は、上記工程において、前記所定の尤度と比較される閾値を受信信号の受信品質に基づいて決定する閾値決定工程をさらに具備し、前記推定工程では、前記所定の尤度と前記決定された閾値とを比較することによって変調方式が推定されるようにした。
【００３０】
この方法によれば、推定精度を一段と高めることができることにより、いち早く変調方式を推定し確定することができる。
【００３１】
本発明の受信装置は、複数の変調方式を伝搬路特性の変動に応じて適応的に選択する適応変調方式の無線伝送システムの受信装置であって、受信信号を所定の復調方式で復調し、復調された受信信号の尤度を計算し、計算された尤度に基づいて前記復調方式が前記受信信号の変調方式に対応した復調方式であるか否かを推定する変調方式推定部と、前記推定の候補となる変調方式に優先順位を付加し、前記優先順位の高い変調方式から順次推定処理を前記変調方式推定部に実行させ、所定の尤度が得られた時点で前記受信信号の変調方式を確定する変調方式推定制御部と、を具備する構成を採る。
【００３２】
この構成によれば、優先順位の高い変調方式から順次推定処理されることにより、いち早く変調方式を確定することができる。また、かかる処理を行うための構成として、１組の変調方式推定部を設けるだけで、複数の変調方式を順次推定することができ、全ての変調方式に対応した変調方式推定部を設ける場合に比べて、回路規模を小さくすることができる。
【００３３】
本発明の無線伝送システムは、送信信号に対する変調方式を、複数の変調方式のなかから伝搬路特性の変動に応じて適応的に選択する送信装置と、受信信号を所定の復調方式で復調し、復調された受信信号の尤度を計算し、計算された尤度に基づいて前記復調方式が前記受信信号の変調方式に対応した復調方式であるか否かを推定する変調方式推定部と、前記推定の候補となる変調方式に優先順位を付加し、前記優先順位の高い変調方式から順次推定処理を前記変調方式推定部に実行させ、所定の尤度が得られた時点で前記受信信号の変調方式を確定する変調方式推定制御部と、を有する受信装置と、を具備する構成を採る。
【００３４】
この構成によれば、優先順位の高い変調方式から順次推定処理されることにより、いち早く変調方式を確定することができる。
【００３５】
【発明の実施の形態】
本発明の骨子は、変調方式の推定処理の候補となる変調方式に優先順位を付加し、優先順位の高い変調方式から順次推定処理を実行することにより、一段と簡易な構成かつ容易に受信信号の変調方式を推定することである。
【００３６】
以下、本発明の実施の形態について、図面を参照して詳細に説明する。
【００３７】
図１は、本発明の一実施の形態に係る送信装置を含む基地局装置１００の構成を示すブロック図である。フェージングによる波形歪を適応等化処理によって復調するシステムの受信機の構成を示すブロック図である。ここでは、ＴＤＭＡ（Ｔｉｍｅ  Ｄｉｖｉｓｉｏｎ  Ｍｕｌｔｉｐｌｅ  Ａｃｃｅｓｓ）の通信システムについて示し、同期補足及び伝送路推定に使用される既知信号パターン（トレーニング信号）が受信信号の処理単位（バースト等）内に挿入されているものとする。但し、変調指数に関する情報は受信信号には含まれていないものとする。
【００３８】
この基地局装置装置１００は、アンテナ１０４を介して受信信号を受信した後、この受信信号を共用器１０３を介して無線部１１１に受ける。
【００３９】
無線部１１１は、無線周波数帯域の受信信号を低い周波数に変換し、伝送路推定部１１２に供給し、ここで伝送路推定を行う。伝送路推定部１１２の出力信号は、復調部１１３に供給され、復調処理される。復調処理された結果は、受信品質測定部１１４に供給され、ここでＢＥＲ（Ｂｉｔ  Ｅｒｒｏｒ  Ｒａｔｅ）等の受信品質が測定される。
【００４０】
また、基地局装置１００は、送信信号を適応変調部１０１に受け、ここで回線品質に応じて変調方式が適応的に決定される。この場合、適応変調部１０１は、無線部１１１から受信信号の受信レベルとともに、受信品質測定部１１４からＢＥＲ等の測定結果を受け、これらの少なくとも１つから、回線品質を推定し、その推定結果に基づいて変調方式を選択する。
【００４１】
例えば、変調方式としては、ＱＰＳＫ（Ｑｕａｔｅｒｎａｒｙ  Ｐｈａｓｅ  Ｓｈｉｆｔ  Ｋｅｙｉｎｇ）変調、１６ＱＡＭ（Ｑｕａｄｒａｔｕｒｅ  Ａｍｐｌｉｔｕｄｅ  Ｍｏｄｕｌａｔｉｏｎ）変調又は６４ＱＡＭ変調等があり、回線品質に応じてそれらのいずれかを選択するようになされている。適応変調部１０１は、選択した変調方式によって送信信号を変調した後、これを無線部１０２に供給する。無線部１０２は、変調された送信信号を無線周波数帯域に変換し、これを共用器１０３及びアンテナ１０４を介して送信する。
【００４２】
図２は、本発明の一実施の形態に係る受信装置（無線端末装置）２００の構成を示すブロック図である。ここでは、ＴＤＭＡ（Ｔｉｍｅ  Ｄｉｖｉｓｉｏｎ  Ｍｕｌｔｉｐｌｅ  Ａｃｃｅｓｓ）の通信システムについて示し、同期補足及び伝送路推定に使用される既知信号パターン（トレーニング信号）が受信信号の処理単位（バースト等）内に挿入されているものとする。但し、変調指数に関する情報は受信信号には含まれていないものとする。
【００４３】
図２において受信装置２００は、無線部２０２において、受信信号を受信処理した後、これをＡ／Ｄ（アナログ／ディジタル）変換部２０３に供給する。Ａ／Ｄ変換部２０３は、無線部２０２から供給された受信信号をディジタル信号に変換した後、受信レベル測定部２０４、伝送路推定部２０５、同期部２０６及び変調方式推定判定部２１０に供給する。
【００４４】
受信レベル測定部２０４は、Ａ／Ｄ変換部２０３から供給されたディジタルの受信信号の受信信号強度（ＲＳＳＩ（Ｒｅｃｅｉｖｅｄ  Ｓｉｇｎａｌ  Ｓｔｒｅｎｇｔｈ  Ｉｎｄｉｃａｔｏｒ）信号レベル）を測定することにより、無線部２０２に対して利得制御を行う。伝送路推定部２０５は、Ａ／Ｄ変換部２０３から供給されたディジタルの受信信号に基づいて、伝送路推定を行った後、その結果を切り替え部２０７に供給する。また、同期部２０６は、ディジタルの受信信号に基づいて同期検波を行うことにより、伝送路推定部２０５及び変調方式推定判定部２１０の同期をとるようになされている。
【００４５】
変調方式推定判定部２１０は、Ａ／Ｄ変換部２０３から供給されたディジタルの受信信号を変調推定部２１２に供給する。変調推定部２１２は、制御部２３０の優先処理決定部２３１から供給される、現在の処理方式を指定する制御信号に基づいて復調方式を選択し、その選択された復調方式によって、受信信号の一部（バースト内のトレーニング信号であって送信側において送信データ（データチャネル）と同様に変調された部分）を復調する。例えば、変調推定部２１２は、ＱＰＳＫ復調、１６ＱＡＭ復調又は６４ＱＡＭ復調の復調方式のうち、優先処理決定部２３１から供給される制御信号によって特定される復調方式によって受信信号を復調する。
【００４６】
そして、変調推定部２１２は、その割り当てられた復調方式で復調した結果を、尤度計算部２１３に供給する。尤度計算部２１３は、トレーニング信号発生部２１４から供給されるトレーニング信号を期待値として、その期待値と受信信号との二乗誤差平均値を尤度として計算する。
【００４７】
トレーニング信号発生部２１４から供給されるトレーニング信号は、受信信号に含まれるトレーニング信号と同様の信号であり、尤度計算部２１３は、このトレーニング信号を期待値として尤度を求めることにより、変調推定部２１２において復調された復調信号の尤度を求める。
【００４８】
尤度計算部２１３において求められた尤度は、変調方式判定部２１５に供給され、制御部２３０の閾値生成部２３２から供給される閾値と比較される。変調方式判定部２１５は、この比較結果に基づいて、このとき尤度計算部２１３から供給された尤度が閾値生成部２３２から供給された閾値以上である場合には、このときの変調推定部２１２における復調方式（変調指数）が送信装置側における変調方式に対応したものであると判断し、その変調方式に対応した復調方式を選択するための変調方式選択信号を切り替え部２０７及び２２４に供給する。これにより、切り替え部２０７及び２２４は、変調方式選択信号によって指定された変調方式に対応する等化／復調部２２１、２２２又は２２３を選択する。
【００４９】
これに対して、変調方式判定部２１５における判定結果として、尤度計算部２１３において求められた尤度が、閾値生成部２３２から供給された閾値を下回っている場合には、この結果を制御部２３０に供給する。制御部２３０は、この閾値を下回ったことを示す結果を受け取ると、このとき変調推定部２１２において選択されている復調方式に代えて、優先処理決定部２３１において予め設定されている他の復調方式を選択し、変調推定部２１２において、その復調方式によって受信信号を復調処理するように制御する。
【００５０】
制御部２３０は、優先処理決定部２３１において他の復調方式を選択する際の、各復調方式（変調指数）の選択の優先度を予め決めている。この実施の形態の場合、選択対象である復調方式として、等化／復調部２２１、２２２及び２２３として用意されている３つの復調方式が設定されており、これらの復調方式に予め優先度を持たせ、その優先度に従って、次に決定する変調推定部２１２の復調方式を選択する。
【００５１】
なお、この受信装置２００を含む通信システムでは、受信信号の各論理チャネルとして、図３に示されるように、同期チャネル、制御チャネル、音声チャネル及びデータチャネルがあり、データチャネルを除く各チャネルには、予め定められた変調方式が割り当てられている。
【００５２】
例えば、図３に示す本実施の形態の例では、同期チャネルには変調方式Ａが割り当てられており、制御チャネルには変調方式Ａが割り当てられており、音声チャネルには変調方式Ｂが割り当てられている。従って、この通信システムの送信装置側では、これらのチャネルに対しては、予め割り当てられている変調方式で変調を行って送信するようになされており、この送信信号を受信する受信装置２００では、この予め決められた変調方式に対応した復調方式（変調指数）でそれぞれのチャネル（同期チャネル、制御チャネル及び音声チャネル）を復調する。
【００５３】
従って、受信装置２００では、同期チャネル、制御チャネル及び音声チャネルについては、予め決められた動作シーケンス（同期チャネル、制御チャネル及び音声チャネルの受信順）に基づいて、次に受信されるバースト（スロット、フレーム等）の変調方式を予測することができる。
【００５４】
これに対して、データチャネルは、送信装置側で予め用意された複数の変調方式のなかから、回線状態（受信電力、エラーレート、Ｓ／Ｎ比等）に応じて最適となる変調方式を選択して実行するようになされている。
【００５５】
図４は、図３について上述した変調方式が割り当てられる同期チャネル、制御チャネル及び音声チャネルについて、受信装置２００のシーケンス制御に基づいて、優先処理決定部２３１の優先順位を決定する決定処理手順を示すフローチャートである。
【００５６】
この図４に示されるように、受信装置２００のシーケンス制御は、同期部２０６による同期獲得（ステップＳＴ１０１）、回線接続（ステップＳＴ１０２）、制御情報受信（ステップＳＴ１０３）、音声受信（ステップＳＴ１０４）、制御情報受信（ステップＳＴ１０５）、データ受信（ステップＳＴ１０６）のようになっている。
【００５７】
受信装置２００の端末動作シーケンス制御部２３５は、このシーケンス制御の情報に基づいて、優先処理決定部２３１における優先復調処理を決定している。すなわち、図４において、端末動作シーケンス制御としてステップＳＴ１０１の同期獲得が行われると、優先処理決定部２３１では、この同期獲得処理に対応して、変調推定部２１２における復調方式（変調指数）を決定する。この復調方式としては、図３について上述したように、同期チャネルの変調方式Ａに対応した復調方式が選択される（ステップＳＴ１１１）。
【００５８】
そして、端末動作シーケンス制御がステップＳＴ１０２の回線接続処理に移ると、優先処理決定部２３１では、回線接続処理に応じて、同期チャネルの変調方式Ａに対応した復調方式を選択する（ステップＳＴ１１２）。
【００５９】
端末動作シーケンス制御がステップＳＴ１０３の制御情報受信処理に移ると、優先処理決定部２３１では、制御チャネルの変調方式Ａに対応した復調方式を選択する（ステップＳＴ１１３）。
【００６０】
ここまでは、同期チャネル及び制御チャネルの変調方式として変調方式Ａが予め決められていることにより、優先処理決定部２３１は、変調方式Ａに対応した復調方式を変調推定部２１２における復調方式として設定する。そして、端末動作シーケンス制御がステップＳＴ１０４に移ると、優先処理決定部２３１では、音声チャネルの変調方式Ｂに対応した復調方式を選択する（ステップＳＴ１１４）。これにより、変調推定部２１２における復調方式は、音声チャネルの変調方式Ｂに対応した復調方式に設定される。
【００６１】
端末動作シーケンス制御がステップＳＴ１０５の制御情報受信処理に移ると、優先処理決定部２３１では、制御チャネルの変調方式Ａに対応した変調指数（復調方式）を選択する（ステップＳＴ１１５）。
【００６２】
このように、端末動作シーケンス制御例に示したステップＳＴ１０１〜ステップＳＴ１０５及びステップＳＴ１１１〜ステップＳＴ１１５では、通信システムにおいて予め決められている変調方式に基づいて、優先処理決定部２３１における復調方式の選択が行われる。これに対して、端末動作シーケンス制御がステップＳＴ１０６に移ると、変調方式が予め１つには決められていないデータ受信処理を開始する。
【００６３】
このデータ受信処理において、送信装置側では、上述したように、回線状態に応じて予め用意された複数の変調方式のなかから、そのときの回線状態に最も適合した変調方式を選択して送信する。受信装置２００の変調方式推定判定部２１０では、このように送信装置から送信されたデータを受信する際に、予め用意された複数の変調方式のなかのいずれの変調方式で変調されたものであるかを推定及び判定し、最も確からしい変調方式に対応した復調方式（変調指数）を選択する。この場合、優先処理決定部２３１では、用意された複数の復調方式について、予め決められた順番で復調方式を変調推定部２１２に設定し、それぞれの復調方式によって復調、尤度計算及び変調方式判定を行う（ステップＳＴ１１６）。
【００６４】
これにより、変調方式推定判定部２１０では、変調推定部２１２、尤度計算部２１３及び変調方式判定部２１３を１組だけ用いて、受信信号のデータチャネルの変調方式を推定することができる。
【００６５】
因みに、図５は、図４に示したステップＳＴ１１６の処理である変調方式の推定処理手順を示すフローチャートである。この図５に示されるように、受信装置２００の制御部２３０は、先ずステップＳＴ２０１において、変調推定部２１２における復調方式の優先順、すなわち、いずれの復調方式を優先処理とするかを決定する。この実施の形態の場合、上述したように、各復調方式の優先順は予め決定されているものとする。
【００６６】
制御部２３０は、ステップＳＴ２０２に移って、上述のステップＳＴ２０１において決定された復調方式Ａに対応した閾値Ａを設定する。従って、変調方式判定部２１５では、このステップＳＴ２０２において設定された閾値Ａに基づいて、尤度計算部２１３から供給される尤度の判定を行うこととなる。
【００６７】
このようにして、優先順の設定、すなわち変調推定部２１２における復調方式Ａを設定するとともに、その復調方式Ａに応じた閾値Ａの設定が完了すると、変調方式推定判定部２１０は、続くステップＳＴ２０３に移って、受信信号を変調推定部２１２に入力し、さらに、ステップＳＴ２０４において、その変調推定部２１２における復調結果に基づく尤度計算を行う。
【００６８】
そして、ステップＳＴ２０４において求められた尤度は、ステップＳＴ２０５において変調方式判定部２１５により閾値Ａと比較される。このステップＳＴ２０５において肯定結果が得られると、このことは、このとき求められた尤度Ａが閾値Ａよりも大きいこと、すなわち、このとき変調推定部２１２において設定された復調方式Ａが、送信装置側における変調方式Ａに対応しているものであると推定されることを意味しており、このとき、変調方式判定部２１５は、ステップＳＴ２０６に移って、変調推定部２１２において設定されている復調方式Ａに対応した変調方式Ａが送信装置側での変調方式であると判断し、復調方式Ａを実際の受信処理における復調方式として設定する。これにより、変調方式判定部２１５から設定された復調方式Ａを選択するための選択信号が切り替え部２０７及び２２４に供給されることにより、この選択された復調方式Ａを実行する等化／復調部（等化／復調部２２１、２２２又は２２３のいずれか）が選択される。
【００６９】
これに対して、ステップＳＴ２０５において否定結果が得られると、このことは、ステップＳＴ２０４において求められた尤度Ａが閾値Ａよりも小さいこと、すなわち、このとき変調推定部２１２において設定された復調方式Ａが、送信装置側における変調方式に対応しているものではないと推定されることを意味しており、このとき、制御部２３０は、ステップＳＴ２０７に移って、上述のステップＳＴ２０４において求められた尤度Ａを所定の記憶部（図示せず）に記憶する。
【００７０】
そして、制御部２３１はステップＳＴ２０８に移って、優先処理決定部２３１において決定されている優先順に従って、変調推定部２１２において設定されている復調方式をそれまで設定されていた復調方式Ａから、その次に優先順の高い復調方式Ｂに変更する。そして、変調推定部２１２は、受信信号に対して、その新たに設定された復調方式Ｂによって復調処理を施し、その結果を尤度計算部２１３に供給する。これにより、尤度計算部２１３は、新たな復調方式Ｂによって復調された結果の尤度Ｂを得る。
【００７１】
変調方式判定部２１５は、ステップＳＴ２０９に移り、ステップＳＴ２０８において求められた尤度Ｂと、このときの復調方式Ｂに対応して閾値生成部２３２において生成された閾値Ｂとを比較し、尤度Ｂが閾値Ｂ以上であるか否かを判断する。
【００７２】
このステップＳＴ２０９において肯定結果が得られると、このことは、このとき求められた尤度が閾値Ｂよりも大きいこと、すなわち、このとき変調推定部２１２において復調された復調方式Ｂが、送信装置側における変調方式に対応しているものであると推定されることを意味しており、このとき、変調方式判定部２１５は、ステップＳＴ２１０に移って、このとき変調推定部２１２において設定されている復調方式Ｂに対応した変調方式Ｂが送信装置側での変調方式であると判断し、復調方式Ｂを実際の受信処理における復調方式として設定する。これにより、変調方式判定部１１５から設定された復調方式Ｂを選択するための選択信号が切り替え部２０７及び２２４に供給されることにより、この選択された復調方式を実行する等化／復調部（等化／復調部２２１、２２２又は２２３のいずれか）が選択される。
【００７３】
これに対して、ステップＳＴ２０９において否定結果が得られると、このことは、このとき求められた尤度Ｂが閾値Ｂよりも小さいこと、すなわち、このとき変調推定部１１２において復調された復調方式Ｂが、送信装置側における変調方式（変調指数）に対応しているものではないと推定されることを意味しており、このとき、制御部２３０は、ステップＳＴ２１１に移って、上述のステップＳＴ２０８において求められた尤度Ｂを所定の記憶部（図示せず）に記憶する。
【００７４】
そして、制御部２３１はステップＳＴ２１２に移って、優先処理決定部２３１において決定されている優先順に従って、変調推定部２１２において設定されている復調方式をそれまで設定されていた復調方式Ｂから、その次に優先順の高い復調方式Ｃに変更する。そして、変調推定部２１２は、受信信号に対して、その新たに設定された復調方式Ｃによって復調処理を施し、その結果を尤度計算部２１３に供給する。これにより、尤度計算部２１３は、新たな復調方式Ｃによって復調された結果の尤度Ｃを得る。
【００７５】
変調方式判定部２１５は、ステップＳＴ２１３に移り、ステップＳＴ２１２において求められた尤度Ｃと、このときの復調方式Ｃに対応して閾値生成部２３２において生成された閾値Ｃとを比較し、尤度Ｃが閾値Ｃ以上であるか否かを判断する。
【００７６】
このステップＳＴ２１３において肯定結果が得られると、このことは、このとき求められた尤度Ｃが閾値Ｃよりも大きいこと、すなわち、このとき変調推定部２１２において設定された復調方式Ｃが、送信装置側における変調方式Ｃ（変調指数）に対応しているものであると推定されることを意味しており、このとき、変調方式判定部２１５は、ステップＳＴ２１４に移って、このとき変調推定部２１２において設定されている復調方式Ｃに対応した変調方式Ｃが送信装置側での変調方式であると判断し、復調方式Ｃを実際の受信処理における復調方式として設定する。これにより、変調方式判定部２１５から設定された復調方式Ｃを選択するための選択信号が切り替え部２０７及び２２４に供給されることにより、この選択された復調方式Ｃを実行する等化／復調部（等化／復調部２２１、２２２又は２２３のいずれか）が選択される。
【００７７】
これに対して、ステップＳＴ２１３において否定結果が得られると、このことは、このとき求められた尤度Ｃが閾値Ｃよりも小さいこと、すなわち、このとき変調推定部２１２において設定された復調方式Ｃが、送信装置側における変調方式に対応しているものではないと推定されることを意味しており、このとき、制御部２３０は、ステップＳＴ２１５に移って、上述のステップＳＴ２１２において求められた尤度Ｃを所定の記憶部（図示せず）に記憶する。
【００７８】
このように、ステップＳＴ２１３において否定結果が得られた場合、予め想定されている復調方式（変調係数）が全て所定の尤度（閾値以上の尤度）を得るだけの確からしさを有していないことを意味している。従ってこの場合には、制御部２３０は、ステップＳＴ２１６に移って、上述のステップＳＴ２０７、ステップＳＴ２１１及びステップＳＴ２１５において記憶された各復調方式ごとの尤度（尤度Ａ、尤度Ｂ、尤度Ｃ）の大小関係を比較する。
【００７９】
そして、尤度Ａが最も大きいという比較結果が得られると、この尤度Ａが得られた復調方式Ａが３つの復調方式のなかで最も確からしいものであると推定されることにより、制御部２３０はステップＳＴ２１７に移って、この尤度Ａが得られた復調方式Ａに対応した変調方式Ａが送信装置側での変調方式であると判断し、復調方式Ａを、実際の受信処理における復調方式として設定する。これにより、変調方式判定部２１５から設定された復調方式を選択するための選択信号が切り替え部２０７及び２２４に供給されることにより、この選択された復調方式を実行する等化／復調部（等化／復調部２２１、２２２又は２２３のいずれか）が選択される。
【００８０】
これに対して、ステップＳＴ２１６における比較結果として、尤度Ｂが最も大きいという結果が得られると、この尤度Ｂが得られた復調方式Ｂが３つの復調方式のなかで最も確からしいものであると推定されることにより、制御部２３０はステップＳＴ２１８に移って、この尤度Ｂが得られた復調方式Ｂに対応した変調方式Ｂが送信装置側での変調方式であると判断し、復調方式Ｂを、実際の受信処理における復調方式として設定する。これにより、変調方式判定部２１５から設定された復調方式を選択するための選択信号が切り替え部２０７及び２２４に供給されることにより、この選択された復調方式を実行する等化／復調部（等化／復調部２２１、２２２又は２２３のいずれか）が選択される。
【００８１】
これに対して、ステップＳＴ２１６における比較結果として、尤度Ｃが最も大きいという結果が得られると、この尤度Ｃが得られた復調方式Ｃが３つの復調方式のなかで最も確からしいものであると推定されることにより、制御部２３０はステップＳＴ２１９に移って、この尤度Ｃが得られた復調方式Ｃに対応した変調方式Ｃが送信装置側での変調方式であると判断し、復調方式Ｃを、実際の受信処理における復調方式として設定する。これにより、変調方式判定部２１５から設定された復調方式を選択するための選択信号が切り替え部２０７及び２２４に供給されることにより、この選択された復調方式を実行する等化／復調部（等化／復調部２２１、２２２又は２２３のいずれか）が選択される。
【００８２】
このように、図５に示した手順に従って、順次、送信装置側の変調方式を推定することにより、変調推定部２１２、尤度計算部２１３及び変調方式判定部２１５を１組設けるだけで、送信装置側の変調方式を推定し、これに対応した復調方式（変調指数）を決定することができる。
【００８３】
なお、送信装置側では、回線状態に応じて変調方式（変調指数）を決定していることにより、受信装置２００においても、図５に示した手順でデータチャネルの変調方式を推定する際に、受信装置２００におけるＢＥＲ（Ｂｉｔ  Ｅｒｒｏｒ  Ｒａｔｅ）等の受信品質を基に、変調推定部に設定する復調方式（復調方式Ａ、Ｂ、Ｃ）の優先順を決定する。
【００８４】
すなわち、この実施の形態の場合、予め設定のために用意されている変調方式（復調方式）は、変調方式Ａ、変調方式Ｂ、変調方式Ｃ（復調方式Ａ、復調方式Ｂ、復調方式Ｃ）の順に変調指数が高いものを用意している。そして、変調指数が高くなるほど、良好な回線品質（受信品質）が要求されるものであることにより、受信装置２００では、前回の受信品質に基づいて、送信装置側での変調方式（すなわち受信装置２００での復調方式）の優先順を推定することにより、推定結果が実際の変調方式に一致する確率を高めることができる。
【００８５】
この実施の形態においては、このような方法によって復調方式の優先順を決定するために、図６に示すテーブルを予め所定の記憶部（図示せず）に記憶しておき、前回の変調方式判定結果と、前回の受信品質に基づいて、今回変調推定部２１２に設定する復調方式の優先順を決定するようになされている。
【００８６】
すなわち、受信装置２００は、受信品質測定部２２６において、復号データからＢＥＲ（Ｂｉｔ  Ｅｒｒｏｒ  Ｒａｔｅ）を測定し、この測定結果を制御部２３０に供給する。制御部２３０の優先処理決定部２３１は、受信品質測定部２２６から供給された受信品質に基づいて、今回変調推定部２１２に設定する復調方式の優先順位を決定する。
【００８７】
この決定方法について、図６を参照して説明する。優先処理決定部２３１は、前回変調推定部２１２に設定した復調方式（すなわち送信装置側における変調方式の推定結果）を記憶しており、この記憶している前回の復調方式と、受信品質測定部２２６から供給された前回の受信品質に基づいて、今回変調推定部２１２に設定する復調方式（すなわち今回の受信信号の送信装置側での推定される変調方式）の優先順位を決定する。
【００８８】
例えば、前回推定された変調方式（変調推定部２１２に設定された復調方式）が変調方式Ｂ（復調方式Ｂ）であって、その前回の受信品質が「良」である場合には、優先処理決定部２３１は、今回のバーストにおける変調指数は、前回推定された変調指数よりも１つ高い変調指数である復調方式Ｃと判断し、今回変調推定部２１２に設定する復調方式の優先順位を、復調方式Ｃ、復調方式Ｂ、復調方式Ａの順に設定する。このように、前回の受信品質が良い場合には、今回送信装置側において回線品質に基づいて決定される変調方式は、前回の変調方式Ｂよりも、高い回線品質が要求される変調方式Ｃである確率が一番高いと判断できることにより、優先処理決定部２３１では、この変調方式Ｃに対応した復調方式Ｃを最も優先順位の高い復調方式として決定し、以下、順次変調指数の低い復調方式を優先順位として決定する。これにより、前回の受信品質が良い場合には、前回の変調指数よりも１つ高い変調指数から順次変調指数が低い復調方式が優先順として決定されることにより、回線状態に応じて、実際の変調方式に合致した復調方式をより早く見つけることができる。
【００８９】
また、逆に、前回推定された変調方式（変調推定部２１２に設定された復調方式）が変調方式Ｂ（復調方式Ｂ）であって、その前回の受信品質が「悪」である場合には、優先処理決定部２３１は、今回のバーストにおける変調指数は、前回推定された変調指数よりも１つ低い変調指数である復調方式Ａと判断し、今回変調推定部２１２に設定する復調方式の優先順位を、復調方式Ａ、復調方式Ｂ、復調方式Ｃの順に設定する。このように、前回の受信品質が悪い場合には、今回送信装置側において回線品質に基づいて決定される変調方式は、前回の変調方式Ｂよりも、低い回線品質が要求される変調方式Ａである確率が一番高いと判断できることにより、優先処理決定部２３１では、この変調方式Ａに対応した復調方式Ａを最も優先順位の高い復調方式として決定し、以下、順次変調指数の高い復調方式を優先順位として決定する。これにより、前回の受信品質が悪い場合には、前回の変調指数よりも１つ低い変調指数から順次変調指数が高い復調方式が優先順として決定されることにより、回線状態に応じて、実際の変調方式に合致した復調方式をより早く見つけることができる。
【００９０】
なお、変調推定部２１２に設定される復調方式の優先順位の決定方法としては、上述したような前回推定された変調方式及び前回のＢＥＲに基づいて決定する方法に限らず、受信品質として、今回の受信信号レベルに基づいて行うようにしても良い。
【００９１】
この場合、受信装置２００では、受信レベル測定部２０４において測定された今回の受信レベル（ＲＳＳＩ：Ｒｅｃｅｉｖｅｄ  Ｓｉｇｎａｌ  Ｓｔｒｅｎｇｔｈ  Ｉｎｄｉｃａｔｏｒ）を制御部２３０に供給し、制御部２３０の優先処理決定部２３１は、この供給された受信レベルと、前回推定された変調方式に基づいて変調推定部２１２に設定する復調方式の優先順位を決定することができる。
【００９２】
この決定方法について、図７を参照して説明する。優先処理決定部２３１は、前回変調推定部２１２に設定した復調方式（すなわち送信装置側における変調方式の推定結果）を記憶しており、この記憶している前回の復調方式と、受信レベル測定部２０４から供給される今回の受信レベルに基づいて、今回変調推定部２１２に設定する復調方式（すなわち今回の受信信号の送信装置側での推定される変調方式）の優先順位を決定する。
【００９３】
例えば、前回推定された変調方式（変調推定部２１２に設定された復調方式）が変調方式Ｂ（復調方式Ｂ）であって、今回の受信レベルが高い場合には、優先処理決定部２３１は、今回のバーストにおける変調指数は、前回推定された変調指数よりも１つ高い変調指数である復調方式Ｃと判断し、今回変調推定部２１２に設定する復調方式の優先順位を、復調方式Ｃ、復調方式Ｂ、復調方式Ａの順に設定する。このように、今回の受信レベルが高い場合には、今回送信装置側において回線品質に基づいて決定される変調方式は、前回の変調方式Ｂよりも、高い回線品質が要求される変調方式Ｃである確率が一番高いと判断できることにより、優先処理決定部２３１では、この変調方式Ｃに対応した復調方式Ｃを最も優先順位の高い復調方式として決定し、以下、順次変調指数の低い復調方式を優先順位として決定する。これにより、今回の受信レベルに基づいて今回の復調方式が決定されることにより、回線状態に応じて、実際の変調方式に合致した復調方式をより早くかつ容易に見つけることができる。
【００９４】
また、逆に、前回推定された変調方式（変調推定部２１２に設定された復調方式）が変調方式Ｂ（復調方式Ｂ）であって、今回の受信品質が低い場合には、優先処理決定部２３１は、今回のバーストにおける変調指数は、前回推定された変調指数よりも１つ低い変調指数である復調方式Ａと判断し、今回変調推定部２１２に設定する復調方式の優先順位を、復調方式Ａ、復調方式Ｂ、復調方式Ｃの順に設定する。このように、今回の受信レベルが低い場合には、今回送信装置側において回線品質に基づいて決定される変調方式は、前回の変調方式Ｂよりも、低い回線品質が要求される変調方式Ａである確率が一番高いと判断できることにより、優先処理決定部２３１では、この変調方式Ａに対応した復調方式Ａを最も優先順位の高い復調方式として決定し、以下、順次変調指数の高い復調方式を優先順位として決定する。これにより、今回の受信レベルに基づいて今回の復調方式が決定されることにより、回線状態に応じて、実際の変調方式に合致した復調方式をより早くかつ容易に見つけることができる。
【００９５】
なお、上述の実施の形態においては、前回のＢＥＲ又は今回の受信レベルを用いる場合について述べたが、本発明はこれに限らず、今回のＢＥＲや前回の受信レベルを用いるようにしてもよい。また、ＢＥＲに限らず、ＳＮ比等を用いるようにしてもよい。
【００９６】
次に、図５について上述した変調方式の推定処理手順における、閾値Ａ、Ｂ又はＣの更新方法について説明する。閾値変調方式制御部２１５において尤度と比較される閾値は、閾値生成部２３２において変調指数ごとに更新される。
【００９７】
閾値生成部２３２は、受信品質測定部２２６から供給された受信品質（ＢＥＲ等）又は受信レベル測定部２０４から供給された受信レベルに基づいて、閾値を決定する。
【００９８】
閾値生成部２３２は、受信品質と閾値との関係を示すテーブルを予め記憶しており、供給された受信品質に基づいてこのテーブルを参照することにより、閾値を生成する。図８は、閾値生成部２３２において閾値を生成する際に用いられる閾値と受信レベルとの対応関係を示すテーブルをグラフ化した図である。この図８に示されるように、閾値生成部２３２では、受信品質（回線品質）が悪くなると、閾値も小さくする。すなわち、受信品質が悪い場合は、いかなる変調方式を推定した場合であっても、受信品質が良い場合と比べて尤度の値は小さくなることにより、受信品質が悪い場合は、変調推定部２１２に設定される復調方式の尤度に対する閾値を小さくする必要がある。このようにすることにより、図５に示した変調方式の推定処理手順におけるステップＳＴ２０５、ステップＳＴ２０９、ステップＳＴ２１３における決定率が悪くなることを回避し得、最後のステップＳＴ２１６における尤度の大小比較まで処理が行われる確率を低くすることができる。これにより、変調方式の推定処理における処理量を削減することができる。
【００９９】
なお、図８は閾値と受信品質との関係を示すグラフであるが、受信レベルを用いる場合も同様にして、図９に示す閾値と受信レベルとの関係を示すテーブルを閾値生成部２３２において予め記憶しておき、受信レベル測定部２０４から供給される受信レベルとこのテーブルを用いて閾値を生成することで、変調方式の推定処理における処理量を削減することができる。
【０１００】
以上の構成において、受信装置２００は、送信装置側における変調方式を推定する際に、１組の変調推定部２１２、尤度計算部２１３及び変調方式判定部２１５を用いて、複数の変調方式に対応した復調方式を順次設定し、変調方式を順次推定処理する。これにより、従来のように推定対象である変調方式の数に応じた組み数の回路構成を設ける場合に比べて、一段と少ないハードウエア規模で同様の推定処理を行うことができる。
【０１０１】
そして、その変調方式の推定処理において、前回推定した変調方式及び前回の受信品質（又は今回の受信レベル）に基づいて、推定する変調方式（変調推定部２１２に設定される復調方式）の優先順位を決定することにより、より確率の高い変調方式から順に推定を行うことが可能となる。従って、推定される全ての変調方式についての推定を行うことなく（図５に示した全ての推定処理を行うことなく）、いち早く変調方式の推定結果を得る確率が高くなる。
【０１０２】
また、変調方式を推定する際に尤度と比較される閾値を、各変調方式ごとに受信品質又は受信レベルに基づいて更新することにより、判定精度を向上させることができる。判定精度が向上すると、推定される全ての変調方式についての推定を行うことなく、（図５に示した全ての推定処理を行うことなく）、いち早く変調方式の推定結果を得る確率が高くなる。
【０１０３】
このように、本実施の形態の受信装置２００によれば、変調方式の判定精度を維持しながら、従来と比較して推定処理における処理量、消費電力を２変調方式の場合で最大半分程度（３変調方式以上の場合はさらに削減可能）に抑えることができる。また、予測される変調方式の順番に処理を行うことにより、変調方式に依存しない部分のハードウエアの共有化が可能となり、回路規模を小さくすることができる。
【０１０４】
なお、上述の実施の形態においては、本発明をＴＤＭＡ方式の無線伝送システムに適用したが、本発明はこれに限らず、他の方式の無線伝送システムにおいても適用することができる。
【０１０５】
【発明の効果】
以上説明したように、本発明によれば、変調方式の推定処理の候補となる変調方式に優先順位を付加し、優先順位の高い変調方式から順次推定処理を実行し、所定の尤度が得られた時点で前記受信信号の変調方式を確定するようにしたことにより、一段と簡易な構成かつ容易に受信信号の変調方式を推定することができる。
【図面の簡単な説明】
【図１】本発明の実施の形態に係る基地局装置の構成を示すブロック図
【図２】本発明の実施の形態に係る受信装置の構成を示すブロック図
【図３】無線伝送システムにおける各論理チャネルの変調方式を示す略線図
【図４】本発明の実施の形態に係る優先処理の決定方法の説明に供するフローチャート
【図５】本発明の実施の形態に係る受信装置の変調方式推定処理手順を示すフローチャート
【図６】本発明の実施の形態に係る優先処理の決定方法の説明に供する略線図
【図７】本発明の実施の形態に係る優先処理の決定方法の説明に供する略線図
【図８】本発明の実施の形態に係る閾値更新方法の説明に供する特性曲線図
【図９】本発明の実施の形態に係る閾値更新方法の説明に供する特性曲線図
【図１０】従来の受信装置の構成を示すブロック図
【符号の説明】
１００  基地局装置
１０１  適応変調部
１０２、１１１、２０２  無線部
１０３  共用器
１０４  アンテナ
１１２、２０５  伝送路推定部
１１３  復調部
１１４、２２６  受信品質測定部
２００  受信装置
２０４  受信レベル測定部
２０６  同期部
２２１、２２２、２２３  等化／復調部
２２５  誤り訂正部
２１０  変調方式推定判定部
２１１  演算部
２１２  変調推定部
２１３  尤度計算部
２１５  変調方式判定部
２３０  制御部
２３１  優先処理決定部
２３２  閾値生成部
【図１】
2004153466.tif 000003
【図２】
2004153466.tif 000004
【図３】
2004153466.tif 000005
【図４】
2004153466.tif 000006
【図５】
2004153466.tif 000007
【図６】
2004153466.tif 000008
【図７】
2004153466.tif 000009
【図８】
2004153466.tif 000010
【図９】
2004153466.tif 000011
【図１０】
2004153466.tif 000012